(57)【要約】      （修正有）【課題】防雪柵に対し斜め方向から吹きつける風雪にも対応できる防雪柵を提供する。【解決手段】忍び返し・誘導板付き吹止式防雪柵の忍び返し部２に段違いに２段、翼型の防雪板４をセットする。該防雪板は４枚に分割してあり、隣り合った防雪板の取り付け角度を異なった角度にしておく。忍び返しの部分に吹き付ける風雪は風向が防雪柵に垂直に当たらなくて、斜めに吹き付ける時でも、どれかの角度の防雪板によってすくい上げられ、誘導板の方に押しやられて好ましい流れを作ることができる。【選択図】図１
0003153841.tif 000002
【実用新案登録請求の範囲】
【請求項１】
高さが４〜６ｍ、支柱間の間隔が約４ｍの防雪柵で防雪板を鉛直に底部から４０〜８０％立ち上げた鉛直部とその上に風上に向かって４５〜６０度傾けた約０．５〜１ｍの忍び返し部とさらにその上に防雪板を反対の風下側に６０度程傾斜させた０．７〜１．５ｍの誘導部の３つの部分から構成される防雪柵に於いて、忍び返し部に翼型の形状をした、翼の幅が４０〜６０ｃｍ、長さ０．５〜２ｍの防雪板を２〜３段、防雪柵の支柱間にそれぞれ複数枚取り付け、隣り合わせの防雪板は傾斜度を変えてあることを特徴とする斜風対応防雪柵。
【請求項２】
忍び返し部の支柱間に請求項１記載の翼型の長さ約１ｍの防雪板を４枚取り付けるにあたり、１枚目の防雪板は翼の先端を真下にして、風上に向かって凹の面を向け、隣接する防雪板は約１５度上向きにし、順次傾斜度を約１５度加えて、４枚目は約４５度傾けてあることを特徴とする請求項１記載の斜風対応防雪柵。
【請求項３】
忍び返し部の支柱間に請求項１記載の翼型の長さ約１ｍの防雪板を４枚又は２ｍの防雪板を２枚取り付けるにあたり、１枚目は凹の面の向く方向を４５〜６０度上向きにその隣の防雪板はそれと１８０度反対方向の下向きにしてあることを特徴とする請求項１記載の斜風対応防雪柵。
【請求項４】
請求項１記載の防雪柵の鉛直部の風上側つまり忍び返しの張り出している側に防雪柵の並ぶ方向に対して垂直を含む一定向き方向に一定幅、一定高さの整風板を鉛直に取り付けてあることを特徴とする請求項１記載の斜風対応防雪柵。
【考案の詳細な説明】
【技術分野】
【０００１】  降雪地帯の道路にて使用する防雪柵に関する。
【背景技術】
【０００２】  降雪地帯に於いて積雪時期に使用する防雪柵は道路交通の安全を確保するために道路面に雪を積もらせないよう様々な工夫がなされてきた。吹き止め式、吹き払い式、さらに道路を越えて雪を遠くへ飛ばす忍び返し・誘導板付き吹止式防雪柵（特許第３１１１４７０号）などがある。【０００３】  しかるにそれらの設計方針は風が防雪柵に対して垂直に吹き付ける時は最大の効果を発揮するが、風が防雪柵に対し斜め方向から吹く時はその効果は落ちると言わざるを得ない。道路がカーブしているような時も同様のことがいえる。
【考案の開示】
【考案が解決しようとする課題】
【０００４】  地形的な要因も含め、その時の異なった平均風向にも対応できる防雪柵が望まれている。
【課題を解決するための手段】
【０００８】  本考案は上記問題に鑑みてなされたものであり、忍び返し部に分割した翼型の防雪板を配置し、隣り合った一枚一枚の取り付け傾斜角度を変えることにより、総合的に異なった風向きに対応できることを実験的に見出した。【０００９】  忍び返し部に段違いに２〜３段、翼型の防雪板をセットする。該防雪板は４枚に分割してあり、隣り合った防雪板の取り付け角度を異なった角度にしておく。
【考案の効果】
【００１０】  忍び返しの部分に吹き付ける風雪は風向が防雪柵に垂直に当たらなくて、斜めに吹き付ける時でも、どれかの角度の防雪板によってすくい上げられ、誘導板の方に押しやられて好ましい流れを作ることができる。
【考案を実施するための最良の形態】
【００１１】  高さが４ｍの忍び返し・誘導板付き吹止式防雪柵で鉛直部分が約２．５ｍあり、その上に通常の忍び返し部として風上に向かって約４５度傾けた部分に２段に分けて翼型の幅約５０ｃｍで長さ約１ｍの防雪板を１段ごとに４枚ずつ配置する。【００１２】  ４枚の翼型の防雪板の一枚目は翼の先端を真下にして、風上に向かって凹の面を向けるようにセットし、それに隣接する防雪板は約１５度上向きになる傾斜角でセットし、さらにその次の３枚目は約３０度上向きにし、最後の４枚目は約４５度上向きにセットする。
【実施例１】
【００１３】  本考案の防雪柵を図面に基づいて説明すると図１は忍び返し・誘導板付き防雪柵を横から見た概念図で、鉛直部１、風上に向かって約４５度傾いた忍び返し部２、さらにその上に風下に向かって６０度ほど傾けた誘導部３がある。【００１４】  図１に示す防雪柵の忍び返し部２に平行に２段、翼の幅が５０ｃｍ長さ１ｍの翼型の防雪板４を取り付けてある。翼の断面図は図２に示してあるような形で厚さ約２ｍｍのアルミ製である。【００１５】  １段に４枚ずつ、一枚目は翼の先端５が下側になるように真下に向かって、二枚目以降は一枚毎に約１５度ずつ上向きになるように傾斜角を増やしながら取り付けてある。その様は図３に概念的に示してある。
【実施例２】
【００１６】  実施例１と同様の形状の翼型の防雪板４を図１に示す防雪柵の忍び返し部２に４枚取り付けるのであるが、図４に忍び返しの横から眺めた概念図を、図５に斜視図で示してあるように、一枚目は凹面の向かう方向を斜め４５度上向きに、二枚目は凹面を一枚目とは丁度１８０度反対の下向きにセットしてある。
【実施例３】
【００１７】  前述の実施例１または２の防雪柵の鉛直部１の風上側に幅５０ｃｍ高さ２．５ｍの整風板６を図６に示すように鉛直に取り付ける。この整風板６は防雪柵から見て垂直方向のみならず、任意の方向に角度を変化させることができ、平均的に卓越する風向きに向けることができるようにしてある。
【産業上の利用可能性】
【００１８】  翼型の防雪板の角度を変えて取り付けることにより、防雪柵に対して垂直方向からばかりではなく、斜め方向から吹きつける風雪に対してもそれを拾い上げ、誘導板の方向に向かせる効果があり、防雪柵としての機能が増す。
【図面の簡単な説明】
【００１９】
【図１】忍び返し・誘導板付き防雪柵を横から見た概念図。
【図２】翼型の防雪板の断面図。
【図３】忍び返し部に翼型の防雪板を取り付けた様子を示す斜視図。
【図４】防雪柵を横から眺めた図。
【図５】翼型防雪板を交互に反対向きに取り付けた状況を示す斜視図。
【図６】防雪柵の風上側に鉛直に整風板を取り付けた状況を示す斜視図。
【符号の説明】
【００２０】１  鉛直部
２  忍び返し部
３  誘導部
４  翼型の防雪板
５  翼の先端
６  整風板
【図１】
0003153841.tif 000003
【図２】
0003153841.tif 000004
【図３】
0003153841.tif 000005
【図４】
0003153841.tif 000006
【図５】
0003153841.tif 000007
【図６】
0003153841.tif 000008
【手続補正書】
【提出日】平成21年6月30日(2009.6.30)
【手続補正１】
【補正対象書類名】実用新案登録請求の範囲
【補正対象項目名】全文
【補正方法】変更
【補正の内容】
【実用新案登録請求の範囲】
【請求項１】
高さが４〜６ｍ、支柱間の間隔が約４ｍの防雪柵で防雪板を鉛直に底部から４０〜８０％立ち上げた鉛直部とその上に風上に向かって４５〜６０度傾けた約０．５〜１ｍの忍び返し部とさらにその上に防雪板を反対の風下側に６０度程傾斜させた０．７〜１．５ｍの誘導部の３つの部分から構成される防雪柵に於いて、忍び返し部に翼型の形状をした、翼の幅が４０〜６０ｃｍ、長さ０．５〜２ｍの防雪板を２〜３段、防雪柵の支柱間にそれぞれ複数枚取り付け、隣り合わせの防雪板は傾斜度を変えてあることを特徴とする斜風対応防雪柵。
【請求項２】
請求項１記載の防雪柵に於いて、忍び返し部の支柱間に翼型の長さ約１ｍの防雪板を一段に４枚横並びに取り付けるにあたり、１枚目の防雪板は翼の先端を真下にして、風上に向かって凹の面を向け、隣接する防雪板は約１５度上向きにし、順次傾斜度を約１５度加えて、４枚目は約４５度傾けてあることを特徴とする請求項１記載の斜風対応防雪柵。
【請求項３】
請求項１記載の防雪柵に於いて、忍び返し部の支柱間に翼型の長さ約１ｍの防雪板を一段に４枚横並びに、又は２ｍの防雪板を一段に２枚横並びに取り付けるにあたり、１枚目は凹の面の向く方向を４５〜６０度上向きにその隣の防雪板はそれと１８０度反対方向の下向きにして、防雪板の向きを交互に変えてあることを特徴とする請求項１記載の斜風対応防雪柵。
【請求項４】
請求項１記載の防雪柵に於いて、防雪柵の鉛直部の風上側つまり忍び返しの張り出している側に防雪柵の並ぶ方向に対して垂直を含む一定向き方向に一定幅、一定高さの整風板を鉛直に取り付けてあることを特徴とする請求項１記載の斜風対応防雪柵。